(57)【要約】【課題】流通過程に加わる振動、落下などの衝撃に対して保護性に優れると同時に運転時における防音性に優れたヒートポンプ式給湯機を提供すること。【解決手段】圧縮機２、水−冷媒熱交換器６、減圧装置、空気−冷媒熱交換器１１を環状に接続し冷媒を充填した冷媒回路と、貯湯タンク３、混合弁、電磁弁、循環ポンプ４を接続し湯水を流通させる給湯回路とが一体の筐体に収納されるヒートポンプ式給湯機であって、前記筐体の底部を形成する第１の基盤１と、第１の基板１の上方部に配設され空気−冷媒熱交換器１１が上に設置される第２の基板８とを設け、第１の基板１と第２の基板８の間に形成される空間に圧縮機２を配設し、圧縮機２の側面および背面には第１の遮音板７、圧縮機２の上面には第２の遮音板９を配設するとともに、第１の基板１と第２の遮音板９とが連結手段にて第２の遮音板９が第１の基板１に連結支持されていることを特徴とする。【選択図】図１
2008116125.tif 000002
【特許請求の範囲】
【請求項１】
圧縮機、水−冷媒熱交換器、減圧装置、空気−冷媒熱交換器を環状に接続し冷媒を充填した冷媒回路と、貯湯タンク、混合弁、電磁弁、循環ポンプを接続し湯水を流通させる給湯回路とが一体の筐体に収納されるヒートポンプ式給湯機であって、前記筐体の底部を形成する第１の基盤と、前記第１の基板の上方部に配設され空気−冷媒熱交換器が上に設置される第２の基板とを設け、前記第１の基板と前記第２の基板の間に形成される空間に前記圧縮機を配設し、前記圧縮機の側面および背面には第１の遮音板、前記圧縮機の上面には第２の遮音板を配設するとともに、前記第１の基板と前記第２の遮音板とが連結手段にて前記第２の遮音板が前記第１の基板に連結支持されていることを特徴とするヒートポンプ式給湯機。
【請求項２】
前記連結手段にビード形状を設けたことを特徴とする請求項１に記載のヒートポンプ式給湯機。
【請求項３】
前記連結手段を前記水−冷媒熱交換器と重複する部分まで延長したことを特徴とする請求項１または２に記載のヒートポンプ式給湯機。
【発明の詳細な説明】
【技術分野】
【０００１】
本発明は、冷媒回路と給湯回路とを一つの筐体に備えたヒ−トポンプ式給湯機に関する。
【背景技術】
【０００２】
従来この種の冷凍サイクルとタンク回路を備えたこの種のヒ−トポンプ式給湯機はに図６に示すように製品外郭底部を形成する第１の基板１に圧縮機２、貯湯タンク３、循環ポンプ４及び発泡断断熱容器５に収納された水−冷媒熱交換器６、前記圧縮機２の左側面及び背面の防音を目的とした第１の遮音板７が配置されており、さらにその上部に前記第１の遮音板７にて連結支持された第２の基板８及び、圧縮機上部の防音を目的とした第２の遮音板９及び仕切り板１０にて区画された内部に空気−冷媒熱交換器１１及び送風用ファン１２、ヒ−トポンプ式給湯機を駆動、制御する電源ＢＯＸ１３を具備した構成となっている。
【特許文献１】特開２００５−１７２３８４号公報
【発明の開示】
【発明が解決しようとする課題】
【０００３】
しかしながら、上記従来の構成では第２の基板及び、圧縮機上部の防音を目的とした第２の遮音板、仕切り板にて区画された内部に具備した重量物である空気−冷媒熱交換器及び、電源ＢＯＸ、送風用ファンの荷重は、絶えず製品外観底部を形成する第１の基板に配置した圧縮機の左側面及び背面方向への運転音の漏洩を防ぐ第１の遮音板に集中した状態となっており、流通段階に加わる落下、振動などの衝撃により、第１の遮音板が変形、座屈し送風用ファンが周辺部品に接触し異音を発生するという課題を有していた。
【０００４】
さらに前記流通段階に加わる衝撃の度合いによっては送風ファンが前板と接触したままロックした状態となり運転が停止してしまうという課題を有していた。
【０００５】
また、圧縮機前面側は製品外郭の前面を形成する前板のみで覆われた構成の為、製品内部に具備された圧縮機などの運転音が十分に遮へいできず、製品外部へ漏えいし、特に狭小地などに設置された際の騒音性に課題を有していた。
【０００６】
本発明は、前記従来の課題を解決するものであり、流通過程に加わる振動、落下などの衝撃に対して保護性に優れると同時に運転時における防音性に優れたヒートポンプ式給湯機を提供することを目的とする。
【課題を解決するための手段】
【０００７】
前記従来の課題を解決するために本発明は、圧縮機、水−冷媒熱交換器、減圧装置、空気−冷媒熱交換器を環状に接続し冷媒を充填した冷媒回路と、貯湯タンク、混合弁、電磁弁、循環ポンプを接続し湯水を流通させる給湯回路とが一体の筐体に収納されるヒートポンプ式給湯機であって、前記筐体の底部を形成する第１の基盤と、前記第１の基板の上方部に配設され空気−冷媒熱交換器が上に設置される第２の基板とを設け、前記第１の基板と前記第２の基板の間に形成される空間に前記圧縮機を配設し、前記圧縮機の側面および背面には第１の遮音板、前記圧縮機の上面には第２の遮音板を配設するとともに、前記第１の基板と前記第２の遮音板とが連結手段にて前記第２の遮音板が前記第１の基板に連結支持されていることを特徴としたヒ−トポンプ式給湯機である。
【０００８】
また第１の基板と第２の遮音板を連結支持する連結手段にビ−ド形状を設けたものである。
【０００９】
さらに第１の基板と第２の遮音板を連結支持する連結手段を発泡断熱容器内部に収納された水−冷媒熱交換器と重複する部分まで延長したものである。
【００１０】
上記構成によって、流通段階に加わる振動、落下などの衝撃に対する保護性を向上するとともに、運転時における防音性の向上が可能となる。
【発明の効果】
【００１１】
本発明は、流通段階に加わる振動、落下などの衝撃に対する保護性を向上するとともに、運転時における防音性に優れたヒートポンプ式給湯機を提供することができる。
【発明を実施するための最良の形態】
【００１２】
第１の発明は、圧縮機、水−冷媒熱交換器、減圧装置、空気−冷媒熱交換器を環状に接続し冷媒を充填した冷媒回路と、貯湯タンク、混合弁、電磁弁、循環ポンプを接続し湯水を流通させる給湯回路とが一体の筐体に収納されるヒートポンプ式給湯機であって、前記筐体の底部を形成する第１の基盤と、前記第１の基板の上方部に配設され空気−冷媒熱交換器が上に設置される第２の基板とを設け、前記第１の基板と前記第２の基板の間に形成される空間に前記圧縮機を配設し、前記圧縮機の側面および背面には第１の遮音板、前記圧縮機の上面には第２の遮音板を配設するとともに、前記第１の基板と前記第２の遮音板とが連結手段にて前記第２の遮音板が前記第１の基板に連結支持されていることにより、重量物である空気−冷媒熱交換器、送風用ファン及び電源ＢＯＸの荷重を、第１の遮音板と連結手段である特殊板にて連結支持する構成となり、流通段階に加わる振動、落下などの衝撃による空気−冷媒熱交換器、送風用ファン、電源ＢＯＸの移動による第１の遮音板の変形・座くつを防止することができる。
【００１３】
同時に圧縮機前面方向は、製品外郭の前側を形成する前板と特殊板との二重構造となり、運転時における機器内部から発生する駆動音の漏えいを低減し防音性能の向上を図れる。
【００１４】
第２の発明は、特に第１発明の特殊板にビ−ド形状を設けたものであり、材料の板厚を増すことなく、部品単品の強度を向上するとともに製品本体の強度の向上を図ることができる。
【００１５】
第３の発明は、特に第１発明の第１の基板と第２の遮音板を連結支持する特殊板を、前記第１の基板に配置した発泡断熱容器に収納された水−冷媒熱交換器と重複する部分まで延長したものであり、流通段階に発生する振動、落下などの衝撃による製品内部での水−冷媒熱交換器の移動を防止し、製品外郭の前面側を形成する前板の変形・打痕を防止することができる。
以下、本発明の実施の形態について、図面を参照しながら説明する。なおこの実施の形態によって本発明が限定されるものではない。
（実施の形態１）
図１に示すように、本発明にまつわるヒートポンプ式給湯機の主要構造部品の配置を示した正面図であり、製品外郭の底部を形成する第１の基板１に圧縮機２、貯湯タンク３、循環ポンプ４及び発泡断熱容器５内部に収納された水−冷媒熱交換器６、前記圧縮機２の左側面及び背面の防音を目的とした第１の遮音板７を配置し、その上部に前記第１の遮音板７にて支持された第２の基板８及び、前記圧縮機上部の防音を目的とした第２の遮音板９及び仕切り板１０にて区画された内部に空気−冷媒熱交換器及１１及び送風用ファン１２、電源ＢＯＸ１３を具備した構成において、圧縮機前面側に第１の基板１と第２の遮音板
９を連結支持する特殊板１４を配置したものである。
【００１６】
また、製品外郭は図２示すように前板１５、１６左側板１７、右側板１８、後板１９、天板２０にて覆われた構成となっている。
この時、図３に示すように、圧縮機２の前方は製品外郭を形成する前板１５と製品外郭の底部を形成する第１の基板１と圧縮機上部の防音を目的とした第２の遮音板９とを連結支持する特殊板１４にて覆われた二重構成となっている。
【００１７】
この時、製品上部に配置された重量物で空気−冷媒熱交換１１、送風ファン１２、電源ＢＯＸ１３の荷重は第１の遮音板７と特殊板１４にて連結支持されている。
【００１８】
さらに図４は、第１の基板１と第２の遮音板７を連結支持する特殊板１４にビ−ド形状２１を設けたものである。
【００１９】
また前記ビ−ド形状２１は複数箇所設けても良い。さらに前記ビ−ド形状２１は水平または、垂直どちらの方向に設けても良い。
（実施の形態２）
図５は、製品外郭の底部を形成する第１の基板１に圧縮機２、貯湯タンク３、循環ポンプ４及び発泡断熱容器５内部に収納された水−冷媒熱交換器６、前記圧縮機２の左側面及び背面の防音を目的とした第１の遮音板７を配置し、その上部に前記第１の遮音板７にて支持された第２の基板８及び、圧縮機上部の防音を目的とした第２の遮音板９及び仕切り板１０にて区画された内部に空気−冷媒熱交換器１１及び送風用ファン１２、電源ＢＯＸ１３を具備した構成において、圧縮機前面側に位置する第１の基板１と第２の遮音板８を連結支持する特殊板１４を発泡断熱容器５の内部に納められた水−冷媒熱交換器６と重複する部分まで延長したものである。
【００２０】
上記構成によって、圧縮機上部の防音を目的に配置した第２の遮音板７と製品外郭の底部を形成する第１の基板１を前記圧縮機２の前側で特殊板１４にて連結支持することにより、第２の基板８、第２の遮音板９、仕切り板１０にて区画した内部に具備された重量物である空気−冷媒熱交換器１１、送風用ファン１２及び電源ＢＯＸ１３の荷重を第１の遮音板７と特殊板１４にて連結支持する構成となるため、流通段階に加わる振動、落下などの衝撃による第１の遮音板７の変形・座くつを防止し、流通段階における製品保護性を向上することができる。
【００２１】
同時に圧縮機２の前面側は特殊板１４と製品外郭の前面側を形成する前板１５に覆われた二重構造となり、運転時における機器内部から発生する駆動音の漏えいを低減し防音性の向上を図れる。
【００２２】
また前記特殊板１４にビ−ド形状２１を設けることにより、材料の板厚を増やすことなく、部品単品の強度を向上すると共に製品本体の強度を向上するものである。
【００２３】
さらに圧縮機２前方に配置した特殊板１４を、製品外郭の底部を形成する第１の基板１に配置した発泡断熱容器５内部に収納された水−冷媒熱交換器６と重複する部分まで延長することにより、流通段階に発生する振動、落下の衝撃による製品内部での水−冷媒熱交換
器６の移動を防止し、製品外郭の前面側を形成する前板の変形、打痕を防止することができる。
【産業上の利用可能性】
【００２４】
以上のように、本発明にかかるヒ−トポンプ式給湯機は、製品外郭の底部を形成する第
１の基板と圧縮機上部に配置した第２の遮音板を連結支持することで、上部に配置した重量物である空気−冷媒熱交換器、送風用ファン及び電源ＢＯＸの荷重を第１の遮音板と特殊板にて支持する構造となり、流通段階に加わる振動、落下などの衝撃への製品保護性を向上するとともに、圧縮機前面側を特殊板と製品外郭を形成する前板と二重構造とすることで、運転時における機器内部から発生する駆動音の漏えいを低減し防音性能の向上を可能とするもので、ヒ−トポンプ式給湯機の本体構成等の用途にも適用できる。
【図面の簡単な説明】
【００２５】
【図１】本発明の実施の形態１におけるヒ−トポンプ式給湯機内部正面図
【図２】本発明の実施の形態１におけるヒ−トポンプ式給湯機外観図
【図３】本発明の実施の形態１におけるヒ−トポンプ式給湯機断面図
【図４】本発明の実施の形態１における特殊板正面図
【図５】本発明の実施の形態２におけるヒ−トポンプ式給湯機内部正面図
【図６】従来例におけるヒ−トポンプ式給湯装置正面図
【符号の説明】
【００２６】
１  第１の基板
２  圧縮機
３  貯湯タンク
４  循環ポンプ
５  発泡断熱容器
６  水−冷媒熱交換器
７  第１の遮音板
８  第２の基板
９  第２の遮音板
１０  仕切り板
１１  空気−冷媒熱交換器
１２  送風ファン
１３  電源ＢＯＸ
１４  特殊板
１５、１６  前板
１７  左側板
１８  右側板
１９  後板
２０  天板
２１  ビ−ド形状
【図１】
2008116125.tif 000003
【図２】
2008116125.tif 000004
【図３】
2008116125.tif 000005
【図４】
2008116125.tif 000006
【図５】
2008116125.tif 000007
【図６】
2008116125.tif 000008